(57)【要約】  画像のスクロールの際に消費電力を低減すること。携帯端末装置（１００）は、画面に表示される画像のスクロールを指示する操作を受け付け、画像を指示された方向へ移動させて表示する。制御部（１０６）は、スクロール中に、スクロール終了時の表示画像が前記画面の領域に含まれるか否か判定する。制御部（１０６）は、画面の領域のうちスクロール終了時の表示画像が含まれないと判定した領域を制御対象領域に決定する。変更部（１０７）は、スクロール中の表示画像に対して、制御対象領域の輝度を低下させる制御を行う。
2014091675.tif 000002
【特許請求の範囲】
【請求項１】
画面に表示される画像のスクロールを指示する操作を受け付け、前記画像を指示された方向へ移動させて表示する携帯端末装置であって、
スクロール中に、スクロール終了時の表示画像が前記画面の領域に含まれるか否かを判定し、前記画面の領域のうち前記スクロール終了時の表示画像が含まれないと判定した領域を制御対象領域に決定する決定部と、
前記スクロール中の表示画像に対して、前記制御対象領域の輝度を低下させる制御を行う変更部と、
を有する携帯端末装置。
【請求項２】
前記操作の速度を検出する検出部と、
前記操作の速度に基づいて、前記スクロール終了時の表示画像がスクロールの開始から終了までに移動する全体の距離と、前記スクロール終了時の表示画像がスクロール中に移動した距離とを算出する算出部と、をさらに有し、
前記決定部は、
前記全体の距離と前記スクロール中に移動した距離との差分に基づいて、前記スクロール終了時の表示画像が前記画面の領域に含まれるか否かを判定する、
請求項１記載の携帯端末装置。
【請求項３】
先に受け付けた前記操作によるスクロールの実行中に、新たなスクロールを指示する後続の操作を受け付けた場合、
前記検出部は、前記後続の操作の速度を検出し、
前記算出部は、前記後続の操作の速度に基づいて、前記全体の距離および前記スクロール中に移動した距離を算出する、
請求項２記載の携帯端末装置。
【請求項４】
前記決定部は、
前記全体の距離が閾値より小さい場合、前記輝度を低下させる制御を行わない旨を、前記変更部へ指示する、
請求項２記載の携帯端末装置。
【請求項５】
前記決定部は、
前記全体の距離が閾値より小さい場合、前記輝度を低下させる量を、前記全体の距離が前記閾値以上である場合と比べて小さい値に決定し、
当該決定した値に基づいて前記輝度を低下させる制御を行う旨を、前記変更部へ指示する、
請求項２記載の携帯端末装置。
【請求項６】
前記決定部は、
前記全体の距離が前記閾値以上である場合、前記制御対象領域の輝度を低下させる量を、前記全体の距離が大きくなるほど大きい値に決定し、
当該決定した値に基づいて前記輝度を低下させる制御を行う旨を、前記変更部へ指示する、
請求項２記載の携帯端末装置。
【請求項７】
前記決定部は、
前記スクロール中に移動した距離が、０から第２閾値に至るまで、および、前記第２閾値より大きい第３閾値から前記全体の距離に至るまでの間、前記輝度を低下させる制御を行わない旨を、前記変更部へ指示する、
請求項２記載の携帯端末装置。
【請求項８】
前記決定部は、
前記スクロール中に移動した距離が０から第２閾値に至るまでの間は、前記輝度を低下させる量を、前記距離が大きくなるほど大きい値に決定し、
前記スクロール中に移動した距離が前記第２閾値より大きい第３閾値から前記全体の距離に至るまでの間は、前記輝度を低下させる量を、前記距離が大きくなるほど小さい値に決定し、
当該決定した値に基づいて前記輝度を低下させる制御を行う旨を、前記変更部へ指示する、
請求項２記載の携帯端末装置。
【請求項９】
前記携帯端末装置は、複数の画面を有し、
前記変更部は、
前記複数の画面に１つの画像を分割して表示する場合、前記１つの画像に対して、前記輝度を低下させる制御を行い、
前記複数の画面にそれぞれ独立した画像を表示する場合、前記独立した画像に対して、前記輝度を低下させる制御を行う、
請求項１記載の携帯端末装置。
【請求項１０】
画面に表示される画像のスクロールを指示する操作を受け付け、前記画像を指示された方向へ移動させて表示する装置が行う輝度制御方法であって、
スクロール中に、スクロール終了時の表示画像が前記画面の領域に含まれるか否かを判定し、前記画面の領域のうち前記スクロール終了時の表示画像が含まれないと判定した領域を制御対象領域に決定するステップと、
前記スクロール中の表示画像に対して、前記制御対象領域の輝度を低下させる制御を行うステップと、
を有する輝度制御方法。
【請求項１１】
画面に表示される画像のスクロールを指示する操作を受け付け、前記画像を指示された方向へ移動させて表示する装置のコンピュータに実行させる輝度制御プログラムであって、
スクロール中に、スクロール終了時の表示画像が前記画面の領域に含まれるか否かを判定し、前記画面の領域のうち前記スクロール終了時の表示画像が含まれないと判定した領域を制御対象領域に決定する処理と、
前記スクロール中の表示画像に対して、前記制御対象領域の輝度を低下させる制御を行う処理と、
を実行させる輝度制御プログラム。
【発明の詳細な説明】
【技術分野】
【０００１】
本発明は、画像の輝度を制御する携帯端末装置、輝度制御方法、および輝度制御プログラムに関するものである。
【背景技術】
【０００２】
スマートフォン、タブレットなどの携帯端末装置は、画面（表示部）の大型化と高精細化が進んでいる。これに伴い、画像の表示にかかる消費電力は、携帯端末装置全体の消費電力の中で占める割合が大きくなっている。そのため、携帯端末装置は、画像の表示にかかる消費電力を低減することが課題となっている。【０００３】
このような課題を解決する技術は、例えば特許文献１に開示されている。特許文献１の携帯端末装置は、画像が切り替わる前および画像が切り替わった後の少なくとも一方の所定期間において、画像の輝度を低下させる。これにより、特許文献１の携帯端末装置は、消費電力の削減を実現している。
【先行技術文献】
【特許文献】
【０００４】
【特許文献１】特開２０１１−２４２５５７号公報
【発明の概要】
【発明が解決しようとする課題】
【０００５】
しかしながら、特許文献１の携帯端末装置は、画像が一遍に切り替わる際の輝度を制御するものであるので、画像が所定方向に移動することで切り替わる「スクロール表示」の際に、画像の輝度を制御することができない、という課題がある。【０００６】
本発明の目的は、スクロール表示の際に消費電力を低減することである。
【課題を解決するための手段】
【０００７】
本発明の一態様に係る携帯端末装置は、画面に表示される画像のスクロールを指示する操作を受け付け、前記画像を指示された方向へ移動させて表示する携帯端末装置であって、スクロール中に、スクロール終了時の表示画像が前記画面の領域に含まれるか否かを判定し、前記画面の領域のうち前記スクロール終了時の表示画像が含まれないと判定した領域を制御対象領域に決定する決定部と、前記スクロール中の表示画像に対して、前記制御対象領域の輝度を低下させる制御を行う変更部と、を有する。【０００８】
本発明の一態様に係る輝度制御方法は、画面に表示される画像のスクロールを指示する操作を受け付け、前記画像を指示された方向へ移動させて表示する装置が行う輝度制御方法であって、スクロール中に、スクロール終了時の表示画像が前記画面の領域に含まれるか否かを判定し、前記画面の領域のうち前記スクロール終了時の表示画像が含まれないと判定した領域を制御対象領域に決定するステップと、前記スクロール中の表示画像に対して、前記制御対象領域の輝度を低下させる制御を行うステップと、を有する。【０００９】
本発明の一態様に係る輝度制御プログラムは、画面に表示される画像のスクロールを指示する操作を受け付け、前記画像を指示された方向へ移動させて表示する装置のコンピュータに実行させる輝度制御プログラムであって、スクロール中に、スクロール終了時の表示画像が前記画面の領域に含まれるか否かを判定し、前記画面の領域のうち前記スクロール終了時の表示画像が含まれないと判定した領域を制御対象領域に決定する処理と、前記スクロール中の表示画像に対して、前記制御対象領域の輝度を低下させる制御を行う処理と、を実行させる。
【発明の効果】
【００１０】
本発明は、スクロール表示の際に消費電力を低減することができる。
【図面の簡単な説明】
【００１１】
【図１】本発明の実施の形態１に係る携帯端末装置の構成例を示すブロック図
【図２】本発明の実施の形態１に係るモデル関数の例を示すグラフ
【図３】本発明の実施の形態１に係る携帯端末装置の動作例を示すフローチャート
【図４】本発明の実施の形態１に係るスクロール表示時の画像の遷移例を示す図
【図５】本発明の実施の形態２に係る携帯端末装置の構成例を示すブロック図
【図６】本発明の実施の形態２に係る携帯端末装置の動作例を示すフローチャート
【図７】本発明の実施の形態３に係る携帯端末装置の形状例を示す外観図
【図８】本発明の実施の形態３に係る携帯端末装置の構成例を示すブロック図
【図９】本発明の実施の形態１に係る全体移動距離と輝度ゲインの関係を示すグラフ
【図１０】本発明の実施の形態１に係る移動距離と輝度ゲインの関係を示すグラフ
【図１１】本発明の実施の形態２に係る携帯端末装置の構成例を示すブロック図
【図１２】本発明の実施の形態２に係る携帯端末装置の構成例を示すブロック図
【図１３】本発明の実施の形態２に係るスクロール速度と輝度ゲインの関係を示すグラフ
【発明を実施するための形態】
【００１２】
以下、本発明の実施の形態について、図面を参照しながら説明する。
【００１３】
（実施の形態１）
実施の形態１について説明する。
【００１４】
＜携帯端末装置１００の構成＞
まず、本発明の実施の形態１に係る携帯端末装置１００の構成について説明する。図１は、携帯端末装置１００の構成例を示すブロック図である。
【００１５】
図１において、携帯端末装置１００は、タッチセンサ１０１、画面操作検出部１０２、表示画像生成制御部１０３、表示画像生成部１０４、画面更新情報算出部１０５、画像輝度制御部１０６、画像輝度変更部１０７、およびディスプレイ１０８を有する。タッチセンサ１０１およびディスプレイ１０８は、タッチパネルを構成する。携帯端末装置１００は、例えば、スマートフォン、タブレット、パーソナルコンピュータなどの携帯型の情報処理装置である。
【００１６】
タッチセンサ１０１は、ユーザによって行われる接触操作を受け付ける。接触操作とは、ユーザが指またはスタイラスペンをディスプレイ１０８に接触させて行う操作である。なお、ここでいう接触操作は、その動きに速度を伴うもの（例えば、ジェスチャ操作、フリック操作など）であるとする。タッチセンサ１０１は、接触操作を受け付けると、接触操作情報を画面操作検出部１０２へ送る。接触操作情報とは、接触操作が開始された位置（接触開始位置）および接触操作が終了した位置（接触終了位置）を示す情報である。
【００１７】
画面操作検出部１０２は、接触操作情報に基づいて、どのような接触操作が行われたかを検出する。ここで検出される接触操作は、例えばフリック操作であるとする。フリック操作は、ユーザが、画像をスクロールさせたい方向へ指を滑らせて画面を弾く操作である。なお、画面は、ディスプレイ１０８のことである。
【００１８】
そして、画面操作検出部１０２は、フリック操作を検出すると、指示された動作がスクロール表示であること、および、スクロール表示の方向（以下、「スクロール方向」という）を検出する。ここで検出されるスクロール方向は、例えば下方向であるとする。なお、スクロール表示とは、画像が所定方向へ移動する動作である。
【００１９】
また、画面操作検出部１０２は、フリック操作を行った指が画面から離れるときの速度（以下、「フリック速度」という）を算出する。そして、画面操作検出部１０２は、画面操作情報を、表示画像生成制御部１０３および画面更新情報算出部１０５へ送る。画面操作情報は、フリック操作により指示された動作が下方向へのスクロール表示であること、および、フリック速度を示す情報である。
【００２０】
表示画像生成制御部１０３は、画面操作情報に基づいて、移動距離を画面更新単位（「フレームレート」ともいう）で算出する。移動距離とは、フリック操作が行われたときに画面に表示されていた画像がスクロールによって移動する距離である。移動距離の算出単位となるフレームレートは、一定間隔で予め定められている。
【００２１】
ここで、表示画像生成制御部１０３が移動距離を算出する際に用いるモデル関数について説明する。モデル関数は、ＯＳ（オペレーションシステム）またはアプリケーションのソフトウェア制御により定義されている。図２は、モデル関数の一例を示すグラフである。図２のグラフ２００において、フリック速度Ｖ０毎に、時間当たりの移動距離が曲線で示される関係となるように定義されている。ここでいう時間は、フリック操作を行った指が画面から離れた後に経過する時間である。また、移動距離は、その時間に対応して、スクロールにより画像が移動する距離である。摩擦係数は、システムまたはアプリケーションで決定される変数の１つである。グラフ２００では、摩擦係数が小さい程移動距離が大きく、フリック速度Ｖ０が大きい程移動距離が大きくなる。表示画像生成制御部１０３は、グラフ２００で示されるモデル関数と、画面操作情報が示すフリック速度とに基づいて、移動距離を画面更新単位で算出する。
【００２２】
そして、表示画像生成制御部１０３は、画面更新単位の移動距離を示す移動距離情報を、表示画像生成部１０４および画像輝度制御部１０６へ送る。
【００２３】
表示画像生成部１０４は、移動距離情報が示す移動距離に基づいて、次フレームで表示する画像を生成する。そして、表示画像生成部１０４は、生成した画像を画像輝度変更部１０７へ送る。
【００２４】
画面更新情報算出部１０５は、画面操作情報に基づいて、全体移動距離を算出する。全体移動距離とは、フリック操作が行われたときに画面に表示されていた画像が、スクロールの開始から終了までに移動した距離である。画面更新情報算出部１０５は、図２に示すグラフ２００で示されるモデル関数と、画面操作情報が示すフリック速度とに基づいて、全体移動距離を算出する。図２において、全体移動距離は、曲線の最右端に対応する移動距離である。そして、画面更新情報算出部１０５は、全体移動距離を示す全体移動距離情報を、画像輝度制御部１０６へ送る。なお、曲線の最右端に対応する時間は、「全体移動時間」という。全体移動時間は、スクロールの開始から終了までにかかる時間である。画面更新情報算出部１０５は、全体移動時間も算出できる。
【００２５】
画像輝度制御部１０６は、移動距離情報と全体移動距離情報との差分に基づいて、制御対象領域を決定する。制御対象領域は、画像の輝度を低下させる制御を実施する領域（以下、「輝度制御領域」という）である。
【００２６】
画像輝度制御部１０６は、輝度制御領域の決定を、例えば以下のように行う。まず、画像輝度制御部１０６は、所定のフレームレートの移動距離と全体移動距離との差分に基づいて、スクロール終了時に画面に表示される画像（以下、「終了時画像」）が、画面の領域に進入する（「含まれる」ともいう。以下、同じ）か否かを判定する。そして、判定の結果、終了時画像が画面の領域に進入しない場合、画像輝度制御部１０６は、画面の領域全体を輝度制御領域に決定する。また、判定の結果、終了時画像の一部が画面の領域に進入する場合、画像輝度制御部１０６は、画面の領域全体のうち、進入してきた終了時画像の一部を除く領域を輝度制御領域に決定する。また、判定の結果、終了時画像全体が画面の領域に進入する場合、画像輝度制御部１０６は、輝度制御領域が無いと決定する。画像輝度制御部１０６は、決定した輝度制御領域と、予め定められた輝度低下率とを示す輝度制御情報を、画像輝度変更部１０７へ送る。このような一連の動作を、画像輝度制御部１０６は、画面更新単位で行う。
【００２７】
画像輝度変更部１０７は、表示画像生成部１０４で生成された画像に対して、輝度制御情報に基づいて、画素単位で輝度値を変更する輝度制御処理を行う。例えば、画像輝度変更部１０７は、輝度制御領域の画素値に対して輝度低下率に対応するゲイン値を乗算する信号処理を行う。上記画素値は、例えば、ＲＧＢまたはＹＵＶフォーマットの各画素構成要素の階調値である。そして、画像輝度変更部１０７は、輝度制御処理を施した画像を、ディスプレイ１０８へ送る。このようにして、画像輝度変更部１０７は、画面更新単位で、輝度制御領域の画像の輝度を低下させる。
【００２８】
ディスプレイ１０８は、画像輝度変更部１０７で輝度制御処理が施された画像を表示する。ディスプレイ１０８は、例えば、自発光型のディスプレイを適用できる。自発光型のディスプレイは、例えば、有機ＥＬディスプレイが適用できる。有機ＥＬディスプレイは、画素の階調値および画素単位（または画素ブロック単位）で輝度制御が可能である。また、ディスプレイ１０８は、液晶ディスプレイであってもよい。ディスプレイ１０８が液晶ディスプレイである場合、画像輝度変更部１０７は、輝度制御領域に対応するバックライトの輝度を低下するようディスプレイ１０８へ指示する。
【００２９】
以上で、携帯端末装置１００の構成についての説明を終える。
【００３０】
＜携帯端末装置１００の動作＞
次に、携帯端末装置１００の動作例について説明する。図３は、携帯端末装置１００の動作例を示すフローチャートである。図４は、スクロール表示の開始から終了までの、画面更新単位の画像の例を示す図である。なお、図４は、下方向へのスクロール表示の場合を示している。
【００３１】
ステップＳ１１において、ユーザは、フリック操作を実行する。このフリック操作は、例えば、下方向へのスクロール表示の実行を指示する操作である。このフリック操作が実行された時点での画像は、図４の０番目フレームに示す。全体画像３０１は、例えば、Ｗｅｂページなどのコンテンツ画像全体である。開始時画像３０２は、スクロール表示の開始時に画面全体に表示されている画像である。なお、開始時画像３０２の周囲の太枠は、画面（ディスプレイ１０８）全体の表示領域を示している。終了時画像３０３は、スクロール表示の終了時に、開始時画像３０２に代わって画面全体に表示される画像である。タッチセンサ１０１は、上記フリック操作を受け付けると、接触開始位置から接触終了位置までの位置情報を示す接触操作情報を画面操作検出部１０２へ送る。
【００３２】
ステップＳ１２において、画面操作検出部１０２は、スクロール方向、フリック速度を検出する。すなわち、画面操作検出部１０２は、接触操作情報の接触開始位置から接触終了位置までの位置情報に基づいて、フリック操作がスクロール表示の指示であること、および、スクロール方向が下方向であることを検出する。また、画面操作検出部１０２は、フリック速度Ｖ０を検出する。そして、画面操作検出部１０２は、下方向へのスクロール表示の実行指示およびフリック速度を示す画面操作情報を、表示画像生成制御部１０３および画面更新情報算出部１０５へ送る。
【００３３】
ステップＳ１３において、画面更新情報算出部１０５は、画面操作情報が示すフリック速度と、予め定められたモデル関数（例えば、図２に示すグラフ２００）とに基づいて、全体移動距離を算出する。例えば、画面更新情報算出部１０５は、図４の０番目フレームに示すように、全体移動距離Ｌｍを算出する。全体移動距離Ｌｍは、開始時画像３０２および終了時画像３０３が、スクロールの開始から終了までに移動する距離である。画面更新情報算出部１０５は、算出した全体移動距離Ｌｍを示す全体移動距離情報を、画像輝度制御部１０６へ送る。
【００３４】
ステップＳ１４において、表示画像生成制御部１０３は、画面操作情報が示すフリック速度と、予め定められたモデル関数（例えば、図２に示すグラフ２００）とに基づいて、移動距離Ｌを画面更新単位で算出する。フレームレートが例えば６０フレーム／秒に定められている場合、表示画像生成制御部１０３は、１／６０秒単位で移動距離を算出する。ここでは例として、フレームレートに応じた時間単位は、Ｔ（ｊ）、Ｔ（ｋ）、Ｔ（ｌ）、Ｔ（ｍ）とする。そして、例えば、表示画像生成制御部１０３は、グラフ２００において、時間Ｔ（ｊ）とフリック速度Ｖ０を入力することで、移動距離Ｌ（ｊ）を算出する。これと同様にして、表示画像生成制御部１０３は、時間Ｔ（ｋ）に対応する移動距離Ｌ（ｋ）、時間Ｔ（ｌ）に対応する移動距離Ｌ（ｌ）、時間Ｔ（ｍ）に対応する移動距離Ｌ（ｍ）を算出する。なお、以下では、Ｔ（ｊ）、Ｔ（ｋ）、Ｔ（ｌ）、Ｔ（ｍ）、Ｌ（ｊ）、Ｌ（ｋ）、Ｌ（ｌ）、Ｌ（ｍ）は、それぞれ、Ｔｊ、Ｔｋ、Ｔｌ、Ｔｍ、Ｌｊ、Ｌｋ、Ｌｌ、Ｌｍと記す。
【００３５】
移動距離Ｌｊは、図４のｊ番目フレームに示すように、開始時画像３０２および終了時画像３０３が、スクロール開始から時間Ｔｊが経過したときに移動する距離である。また、移動距離Ｌｋは、図４のｋ番目フレームに示すように、開始時画像３０２および終了時画像３０３が、スクロール開始から時間Ｔｋが経過したときに移動する距離である。また、移動距離Ｌｌは、図４のｌ番目フレームに示すように、開始時画像３０２および終了時画像３０３が、スクロール開始から時間Ｔｌが経過したときに移動する距離である。また、移動距離Ｌｍは、図４のｍ番目フレームに示すように、開始時画像３０２および終了時画像３０３が、スクロール開始から時間Ｔｍが経過したときに移動する距離である。なお、時間Ｔｍはスクロールが終了する時間であるので、移動距離Ｌｍは、全体移動距離に相当することになる。
【００３６】
そして、表示画像生成制御部１０３は、移動距離Ｌｊ、Ｌｋ、Ｌｌ、Ｌｍを示す移動距離情報を、画像輝度制御部１０６および表示画像生成部１０４へ送る。
【００３７】
ステップＳ１５において、表示画像生成部１０４は、移動距離情報を受け取ると、画面に表示するための画像を、画面更新単位で生成する。すなわち、表示画像生成部１０４は、移動距離Ｌｊ、Ｌｋ、Ｌｌ、Ｌｍのそれぞれに基づいて、画面に表示するための画像を生成する。例えば、表示画像生成部１０４は、図４に示す画像３０２、３０４、３０５、３０６、３０７をそれぞれ生成し、画像輝度変更部１０７へ送る。ここで、表示画像生成制御部１０３からの移動距離Ｌｊ、Ｌｋ、Ｌｌ，Ｌｍをスクロールの開始からの移動距離としているが、前回の画面更新単位での表示画像からの移動距離であってもよい。
【００３８】
ステップＳ１６において、画像輝度制御部１０６は、全体移動距離情報が示す全体移動距離Ｌｍと、移動距離情報が示す移動距離Ｌｊ、Ｌｋ、Ｌｌ、Ｌｍとを比較し、輝度制御領域を決定する。
【００３９】
例えば、ｊ番目フレームの場合、画面輝度制御部１０６は、全体移動距離Ｌｍと移動距離Ｌｊとを比較し、終了時画像３０３が画面の領域へ進入するか否かを判定する。図４に示すように、ｊ番目フレームでは、終了時画像３０３は、画面の領域に進入しない。よって、画像輝度制御部１０６は、画面の領域全体を輝度制御領域に決定する。この結果、表示画像生成部１０４で生成される画像３０４は、全体が低輝度に制御されることになる。
【００４０】
例えば、ｋ番目フレームの場合、画面輝度制御部１０６は、全体移動距離Ｌｍと移動距離Ｌｋとを比較し、終了時画像３０３が画面の領域へ進入するか否かを判定する。図４に示すように、ｋ番目フレームでは、終了時画像３０３の一部が、画面の領域に進入する。領域３０５ａは、画面の領域全体のうち、終了時画像３０３の一部が進入する領域を示す。領域３０５ｂは、画面の領域全体のうち、領域３０５ａ以外の領域を示す。よって、画像輝度制御部１０６は、領域３０５ｂを輝度制御領域に決定する。この結果、表示画像生成部１０４で生成される画像３０５は、領域３０５ｂの画像が低輝度に制御され、領域３０５ａの画像が高輝度に制御されることになる。
【００４１】
例えば、ｌ番目フレームの場合、画面輝度制御部１０６は、全体移動距離Ｌｍと移動距離Ｌｌとを比較し、終了時画像３０３が画面の領域へ進入するか否かを判定する。図４に示すように、ｌ番目フレームでは、終了時画像３０３の一部が、画面の領域に進入する。領域３０６ａは、画面の領域全体のうち、終了時画像３０３の一部が進入する領域を示す。領域３０６ｂは、画面の領域全体のうち、領域３０６ａ以外の領域を示す。よって、画像輝度制御部１０６は、領域３０６ｂを輝度制御領域に決定する。この結果、表示画像生成部１０４で生成される画像３０６は、領域３０６ｂの画像が低輝度に制御され、領域３０６ａの画像が高輝度に制御されることになる。
【００４２】
例えば、ｍ番目フレームの場合、画面輝度制御部１０６は、全体移動距離Ｌｍと移動距離Ｌｍとを比較し、終了時画像３０３が画面の領域へ進入するか否かを判定する。図４に示すように、ｍ番目フレームでは、終了時画像３０３は、画面の領域全体に進入する。よって、画像輝度制御部１０６は、終了時画像３０３の全体が画面の領域全体に一致するので、輝度制御領域が無いと決定する。この結果、表示画像生成部１０４で生成される画像３０７は、全体が高輝度に制御されることになる。
【００４３】
そして、画像輝度制御部１０６は、画面更新単位の輝度制御領域、および、予め定められた輝度低下率を示す輝度制御情報を、画像輝度変更部１０７へ送る。
【００４４】
ステップＳ１７において、画像輝度変更部１０７は、表示画像生成部１０４で生成された画面更新単位の画像に対し、輝度制御情報に基づいて、輝度制御を実行する。例えば、画像輝度変更部１０７は、画像３０２、３０４に対しては、画像の全部を低輝度に制御する。また、例えば、画像輝度変更部１０７は、画像３０５に対しては、領域３０５ｂの画像を低輝度に制御し、領域３０５ａの画像を高輝度に制御する。また、例えば、画像輝度変更部１０７は、画像３０６に対しては、領域３０６ｂの画像を低輝度に制御し、領域３０６aの画像を高輝度に制御する。また、画像輝度変更部１０７は、画像３０７に対しては、画像の全部を高輝度に制御する。
【００４５】
そして、画像輝度変更部１０７は、輝度制御処理を施した画像を、画面更新単位でディスプレイ１０８へ送る。
【００４６】
ステップＳ１８において、ディスプレイ１０８は、画像輝度変更部１０７で輝度制御処理が施された画像を、画面更新単位で表示する。
【００４７】
ステップＳ１９において、移動距離Ｌが全体移動距離Ｌｍに達するまで、ステップＳ１４〜Ｓ１８が繰り返される。
【００４８】
以上で、携帯端末装置１００の動作についての説明を終える。
【００４９】
このように、携帯端末装置１００は、スクロール表示の際、画面に表示される画像のうち、終了時画像３０３以外の画像の輝度を低下させる。これにより、携帯端末装置１００は、スクロール表示の際に消費電力を低減することができる。また、終了時画像３０３以外の画像は、スクロール表示により、ユーザにとって視認性が悪く、また注目度が低いと推測される。よって、携帯端末装置１００は、終了時画像３０３以外の画像の輝度を低下させても、ユーザの利便性を損なうことはない。
【００５０】
（実施の形態２）
本発明の実施の形態２について説明する。本実施の形態は、スクロールの速度に基づいて画面全体の画像に対して輝度制御を実行する点が実施の形態１と異なる。
【００５１】
＜携帯端末装置７００の構成＞
まず、本発明の実施の形態２に係る携帯端末装置７００の構成について説明する。図５は、携帯端末装置７００の構成例を示すブロック図である。
【００５２】
携帯端末装置７００は、図１の携帯端末装置１００と比較して、画面更新情報算出部１０５を有していない点、および、画像輝度制御部１０６の代わりに画像輝度制御部７０６を有する点が異なる。画像輝度制御部７０６以外の構成は、携帯端末装置１００と同じであるので、ここでの説明は省略する。
【００５３】
画像輝度制御部７０６は、図１の画像輝度制御部１０６と同様に、表示画像生成制御部１０３から、画面更新単位の移動距離を示す移動距離情報を受け取る。なお、本実施の形態では、移動距離情報は、移動距離に対応する時間も含むとする。ここでいう時間は、実施の形態１で述べた通り、フリック操作を行った指が画面から離れた後に経過する時間である。
【００５４】
そして、画像輝度制御部７０６は、移動距離情報が示す移動距離と時間に基づいて、スクロールの速度（以下、「スクロール速度」という）を算出する。そして、画像輝度変更部７０６は、スクロール速度に応じて、画面全体に表示される画像の輝度制御を実行するように、画像輝度変更部１０７へ指示する。例えば、画像輝度変更部７０６は、スクロール速度が速いほど輝度を低下させるように、画像輝度変更部１０６へ指示する。画像輝度変更部１０７は、画像輝度制御部７０６からの指示に基づいて、画面全体の画像に対して輝度制御を行う。
【００５５】
なお、本実施の形態は、画面全体の画像に対して輝度制御を行うので、ディスプレイ１０８は、自発光型のディスプレイでなくてもよい。例えば、ディスプレイ１０８は、ＬＣＤ（Liquid Crystal Display）のバックライト輝度制御に適用してもよい。
【００５６】
以上で、携帯端末装置７００の構成についての説明を終える。
【００５７】
＜携帯端末装置７００の動作＞
次に、携帯端末装置７００の動作例について説明する。図６は、携帯端末装置７００の動作例を示すフローチャートである。
【００５８】
図６のフローは、図３のフローと比較して、ステップＳ１６、Ｓ１７の代わりにステップＳ１６’、Ｓ１７’を有する点が異なる。ステップＳ１６’、Ｓ１７’以外の動作は、図３のフローと同じであるので、ここでの説明は省略する。
【００５９】
ステップＳ１６’において、画像輝度制御部７０６は、移動距離情報が示す移動距離および時間に基づいて、スクロール速度を算出する。ここで、画面更新単位の移動距離は、実施の形態１と同様に、Ｌｊ、Ｌｋ、Ｌｌ、Ｌｍであるとする。また、それらの移動距離に対応する時間も、実施の形態１と同様に、Ｔｊ、Ｔｋ、Ｔｌ、Ｔｍであるとする。画像輝度制御部７０６は、これらの値を用いて、フレーム間のスクロール速度を算出する。
【００６０】
ここで、図４を用いて、スクロール速度の算出の例について説明する。画像輝度制御部７０６は、ｋ番目とｋ＋１番目のフレームを例にした場合、（Ｌ（ｋ）−Ｌ（ｋ−１））／（Ｔ（ｋ）−Ｔ（ｋ−１））により、スクロール速度を算出する。以下、図４の場合を例に説明する。なお、以下の説明では、例として、ｊ＝１、ｋ＝２、ｌ＝３、ｍ＝４とする。画像輝度制御部７０６は、まず、０番目フレームとｊ番目フレーム間のスクロール速度を算出する。すなわち、画像輝度制御部７０６は、（Ｌｊ−０）／（Ｔｊ−０）の計算を行い、その結果を第１スクロール速度とする。次に、画像輝度制御部７０６は、ｊ番目フレームとｋ番目フレーム間のスクロール速度を算出する。すなわち、画像輝度制御部７０６は、（Ｌｋ−Ｌｊ）／（Ｔｋ−Ｔｊ）の計算を行い、その結果を第２スクロール速度とする。同様に、画像輝度制御部７０６は、ｌ番目フレームとｋ番目フレーム間のスクロール速度（第３のスクロール速度）、ｍ番目フレームとｌ番目フレーム間のスクロール速度（第４のスクロール速度）をそれぞれ算出する。第１スクロール速度が最も速く、第４のスクロール速度が最も遅いため、画像輝度制御部７０６は、画面全体の画像の輝度について、ｊ番目フレームを最も低くし、次のフレームから次第に高くしていき、ｍ番目フレームで通常の表示輝度となるように、画像輝度変更部１０７へ指示する。なお、この指示に含まれる各輝度値は、予め定められている。
【００６１】
ステップＳ１７’において、画像輝度変更部１０７は、表示画像生成部１０４で生成された画面更新単位の画像に対し、画像輝度制御部７０６の指示に基づいて、輝度制御を実行する。例えば、画像輝度変更部１０７は、画像３０２、３０４に対して、最も低い輝度に制御する。次に、画像輝度変更部１０７は、画像３０５に対して、画像３０４よりも高い輝度に制御する。次に、画像輝度変更部１０７は、画像３０６に対して、画像３０５よりも高い輝度に制御する。そして、画像輝度変更部１０７は、画像３０７に対しては、画像３０６よりも高い輝度、すなわち、最も高い輝度に制御する。そして、画像輝度変更部１０７は、輝度制御処理を施した画像を、画面更新単位でディスプレイ１０８へ送る。
【００６２】
以上で、携帯端末装置７００の動作についての説明を終える。
【００６３】
このように、携帯端末装置７００は、スクロール表示の際、スクロールが速いときに、画面全体に表示される画像の輝度を低下させる。これにより、携帯端末装置７００は、スクロール表示の際に消費電力を低減することができる。また、スクロールが速いときに画面全体に表示される画像は、ユーザにとって視認性が悪く、また注目度が低いと推測される。よって、携帯端末装置７００は、画面全体に表示される画像の輝度を低下させても、ユーザの利便性を損なうことはない。
【００６４】
（実施の形態３）
本発明の実施の形態３について説明する。本実施の形態は、携帯端末装置が２つのタッチパネルを有する点が実施の形態１、２と異なる。
【００６５】
＜携帯端末装置９００の形状＞
まず、本発明の実施の形態３に係る携帯端末装置９００の形状について説明する。図７は、本実施の形態の携帯端末装置９００の形状の例を示す図である。
【００６６】
図７において、携帯端末装置９００は、ディスプレイ９０３ａを備えた筐体９０１ａと、ディスプレイ９０３ｂを備えた筐体９０１ｂとを有する。筐体９０１ａと筐体９０１ｂは、ヒンジ９０２を介して回動する。この回動により、携帯端末装置９００は、第１形状９００ａから第２形状９００ｂへの変形、および、第２形状９００ｂから第１形状９００ａへの変形が可能である。
【００６７】
第１形状９００ａは、フルスクリーンモードと呼ぶ形状である。このフルスクリーンモードの場合、筐体９０１ａと筐体９０１ｂとは水平となる。このとき、ディスプレイ９０３ａとディスプレイ９０３ｂは、それぞれを合わせて１つの画面として機能する。
【００６８】
第２形状９００ｂは、個別スクリーンモードと呼ぶ形状である。この個別スクリーンモードの場合、筐体９０１ａと筐体９０１ｂとは、ヒンジ９０２を頂点とした山折りとなる。このとき、ディスプレイ９０３ａとディスプレイ９０３ｂは、それぞれが別々の画面として機能する。
【００６９】
＜携帯端末装置９００の構成＞
次に、本発明の実施の形態３に係る携帯端末装置９００の構成について説明する。図８は、携帯端末装置９００の構成例を示すブロック図である。
【００７０】
図８において、筐体９０１ａと筐体９０１ｂは各構成要素が同じであり、各構成要素は、図１の携帯端末装置１００のブロック構成と同じである。よって、各構成要素の説明は省略する。なお、ディスプレイ１０８ａは図７のディスプレイ９０３ａに相当し、ディスプレイ１０８ｂは図７のディスプレイ９０３ｂに相当する。
【００７１】
＜携帯端末装置９００の動作＞
次に、本発明の実施の形態３に係る携帯端末装置９００の動作について説明する。
【００７２】
個別スクリーンモードの場合、筐体９０１ａと筐体９０１ｂは、それぞれ、独立して動作する。この動作は、実施の形態１で説明した図１の携帯端末装置１００と同じ動作である。
【００７３】
フルスクリーンモードの場合、筐体９０１ｂにおいて、表示画像生成制御部１０３ｂ、画面更新情報算出部１０５ｂ、および画像輝度制御部１０６ｂは、動作を停止する。一方、筐体９０１ａにおいて、表示画像生成制御部１０３ａ、画面更新情報算出部１０５ａ、および画像輝度制御部１０６ａは動作する。すなわち、画面操作検出部１０２ｂは、画面操作情報を、表示画像生成制御部１０３ａおよび画面更新情報算出部１０５ａへ送る。また、表示画像生成制御部１０３ａは、画面更新単位の移動距離を、表示画像生成部１０４ａ、１０４ｂのそれぞれの分を算出し、送出する。また、画面輝度制御部１０６ａは、輝度制御情報を、画像輝度変更部１０７ａ、１０７ｂのそれぞれの分を算出し、送出する。
【００７４】
このように、携帯端末装置９００は、個別スクリーンモードの場合、筐体９０１ａと筐体９０１ｂとが個別に動作する一方で、フルスクリーンモードの場合、筐体９０１ａと筐体９０１ｂとが連動する。よって、２つのディスプレイを備えた携帯端末装置９００は、いずれのモードであっても、実施の形態１と同様の効果を得ることができる。
【００７５】
＜実施の形態の変形例＞
以上、本発明の各実施の形態について説明したが、上記説明は一例であり、種々の変形が可能である。以下、各実施の形態の変形例について説明する。
【００７６】
上記実施の形態１〜３は、タッチセンサにて接触操作を受け付ける例としたが、これに限定されない。例えば、タッチセンサの代わりに、非接触操作を受け付け可能なセンサを用いてもよい。非接触操作とは、ユーザがディスプレイなどに接触せずに、携帯端末装置の近くで行う操作である。ただし、非接触操作も、接触操作と同じく、動きに速度を伴うものである必要がある。
【００７７】
上記実施の形態１は、画像輝度制御部１０６が全体移動距離と画面更新単位の移動距離とに基づいて輝度制御領域を決定する例としたが、これに限定されない。例えば、画像輝度制御部１０６は、全体移動時間と、画面更新単位毎のスクロール開始からの移動時間との差分に基づいて、輝度制御領域を決定してもよい。具体的には、スクロール開始からの移動時間が全体移動時間の８０％に達するまで輝度制御領域とするのでもよい。
【００７８】
上記実施の形態１は、フリック操作が１回行われた場合を例として動作を説明したが、フリック操作が連続して行われてもよい。その場合、携帯端末装置１００は、先に行われたフリック操作によるスクロール表示を実行しながら、続けて行われたフリック操作によるスクロール表示のための輝度制御を行う。すなわち、画面操作検出部１０２は、タッチセンサ１０１からの接触操作情報に基づいて、後続のフリック操作の画面操作情報（フリック速度Ｖ１、スクロール方向を含む）を、表示画像生成制御部１０３および画面更新情報算出部１０５へ送る。表示画像生成制御部１０３は、フリック速度Ｖ１と、例えば図２のモデル関数とに基づいて、画面更新単位の移動距離を算出し、表示画像生成部１０４および画像輝度制御部１０６へ通知する。また、画面更新情報算出部１０５は、フリック速度Ｖ１と、例えば図２のモデル関数とに基づいて、全体移動距離を算出し、画像輝度制御部１０６へ通知する。画像輝度制御部１０６は、全体移動距離と、画面更新単位の移動距離とに基づいて、輝度制御領域を決定し、所定の輝度低下率とともに輝度変更部１０７へ通知する。輝度変更部１０７は、表示画像生成部１０４で生成された画像毎に、輝度制御領域の画像の輝度を、輝度低下率に基づいて制御する。このように制御された画像のスクロール表示は、ディスプレイ１０８において、先に行われたフリック操作によるスクロール表示に続けて行われる。したがって、携帯端末装置１００は、フリック操作が連続して行われることでスクロール表示を継続する場合においても、輝度制御領域を決定して輝度を低下させる制御を継続して実行できる。
【００７９】
上記実施の形態１において、輝度制御領域の画像の輝度を低下させる輝度制御（以下、「輝度低下処理」ともいう）は、いくつかの方法が考えられる。その方法の例を以下に説明する。
【００８０】
例えば、画像輝度制御部１０６は、図９に示すグラフ４０１〜４０４に基づいて輝度低下処理を行うように、画像輝度変更部１０７へ指示してもよい。グラフ４０１〜４０４において、横軸は、全体移動距離を表し、縦軸は、輝度低下処理時の輝度ゲインを表す。
【００８１】
グラフ４０１、４０２では、全体移動距離が所定値Ｌｔｈ０より小さい場合、輝度ゲインを１．０としている。すなわち、この場合、輝度を低下させる量（以下、「輝度低下量」という）を０とし、輝度低下処理を行わないとしている。よって、この場合、画像輝度制御部１０６は、輝度制御領域を決定せずに、輝度低下処理を行わない旨を示す輝度制御情報を、輝度変更部１０７へ送るようにしてもよい。
【００８２】
グラフ４０３、４０４では、全体移動距離が所定値Ｌｔｈ０より小さい場合、輝度ゲインを０．９としている。すなわち、この場合、輝度低下量を、全体移動距離が所定値Ｌｔｈ０以上の場合と比べて小さい値にし、輝度低下処理をほとんど行わないとしている。
【００８３】
グラフ４０２、４０４では、所定値Ｌｔｈ０と所定値Ｌｔｈ１の間において、全体移動距離が大きくなるほど輝度ゲインを下げる（輝度低下量を大きくする）ようにしている。
【００８４】
このように、グラフ４０１〜４０４では、全体移動距離が所定値Ｌｔｈ０より小さい場合、輝度の低下を全く行わない、または、ほとんど行わないようにして、ユーザの視認性を保持することを優先している。その理由は、全体移動距離が小さい場合は、スクロール速度が遅くなり、スクロール表示によって視認性が悪化する可能性が低くなるからである。
【００８５】
また、例えば、画像輝度制御部１０６は、図１０に示すグラフ６０１〜６０２に基づいて輝度低下処理を行うように、画像輝度変更部１０７へ指示してもよい。グラフ６０１〜６０２において、横軸は、画面更新単位で算出される移動距離を表し、縦軸は、輝度低下処理時の輝度ゲインを表す。
【００８６】
グラフ６０１では、移動距離が、Ｌ０およびＬ１の範囲にある場合、輝度低下処理を行わないとしている。
【００８７】
グラフ６０２では、移動距離がＬ０の範囲である場合、移動距離が大きくなるほど輝度ゲインを下げる（輝度低下量を大きくする）ようにしている。また、グラフ６０２では、移動距離がＬ１の範囲である場合、移動距離が大きくなるほど輝度ゲインを上げる（輝度低下量を小さくする）ようにしている。Ｌ０は、０（スクロール開始位置）から所定値Ｌｔｈ２までを示す。また、Ｌ１は、所定値Ｌｔｈ３から全体移動距離（スクロール終了位置）までを示す。
【００８８】
このように、グラフ６０１〜６０２では、スクロール開始時付近（Ｌ０）およびスクロール終了時付近（Ｌ１）において、輝度低下量を小さくする、または、段階的に変化させる。これにより、スクロール表示時の一連の画像に極端な輝度変更を施すことなく、ユーザの視認性を保持することを優先している。
【００８９】
なお、図９および図１０の各グラフにおいて、所定値およびグラフの形状は、図に記載した内容に限られるものではなく、これらのグラフ形状に基づいて変更したもの、または、上記説明した内容に沿うものであればよい。
【００９０】
上記実施の形態２において、図５の携帯端末装置７００は、図７、図８に示す携帯端末装置９００のように、同じ構成の筐体を２つ備えた携帯端末装置としてもよい。
【００９１】
上記実施の形態２において、図５の携帯端末装置７００は、図１１に示す携帯端末装置８００の構成としてもよい。図１１において、携帯端末装置８００は、ＬＣＤディスプレイであるディスプレイ８０８と、ディスプレイ８０８に光を照射するバックライト８０９とを有する。画像輝度制御部７０６は、バックライト８０９の光量を制御することで、ディスプレイ８０８全体に表示される画像の輝度を制御する。なお、図１１の携帯端末装置８００は、図１２に示す携帯端末装置１１００の構成としてもよい。
【００９２】
また、実施の形態２において、画像輝度制御部７０６は、図１３に示すグラフ５０１〜５０４に基づいて輝度低下処理を行うように、画像輝度変更部１０７へ指示してもよい。グラフ５０１〜５０４において、横軸は、画面更新単位のスクロール速度を表し、縦軸は、輝度低下処理時の輝度ゲインを表す。
【００９３】
グラフ５０１、５０２では、スクロール速度が所定値Ｖｔｈ０より小さい場合、輝度ゲインを１．０としている。すなわち、この場合、輝度低下量を０とし、輝度低下処理を行わないとしている。
【００９４】
グラフ５０３、５０４では、スクロール速度が所定値Ｖｔｈ０より小さい場合、輝度ゲインを０．９としている。すなわち、この場合、輝度低下量を、スクロール速度が所定値Ｖｔｈ０以上の場合と比べて小さい値にし、輝度低下処理をほとんど行わないとしている。
【００９５】
グラフ５０３、５０４では、所定値Ｖｔｈ０と所定値Ｖｔｈ１の間において、スクロール速度が大きくなるほど輝度ゲインを下げる（輝度低下量を大きくする）ようにしている。
【００９６】
このように、グラフ５０１〜５０４では、スクロール速度が所定値Ｖｔｈ０より小さい場合、輝度の低下を全く行わない、または、ほとんど行わないようにして、ユーザの視認性を保持することを優先している。その理由は、スクロール速度が遅い場合、スクロール表示によって視認性が悪化する可能性が低くなるからである。
【００９７】
また、上記実施の形態１〜３およびそれらの変形例では、本発明をハードウェアで構成する場合を例にとって説明したが、本発明はハードウェアとの連係においてソフトウェアでも実現することも可能である。
【００９８】
以上、本開示の携帯端末装置は、画面に表示される画像のスクロールを指示する操作を受け付け、前記画像を指示された方向へ移動させて表示する携帯端末装置であって、スクロール中に、スクロール終了時の表示画像が前記画面の領域に含まれるか否かを判定し、前記画面の領域のうち前記スクロール終了時の表示画像が含まれないと判定した領域を制御対象領域に決定する決定部と、前記スクロール中の表示画像に対して、前記制御対象領域の輝度を低下させる制御を行う変更部と、を有する。
【００９９】
また、本開示の携帯端末装置は、前記操作の速度を検出する検出部と、前記操作の速度に基づいて、前記スクロール終了時の表示画像がスクロールの開始から終了までに移動する全体の距離と、前記スクロール終了時の表示画像がスクロール中に移動した距離とを算出する算出部と、をさらに有し、前記決定部は、前記全体の距離と前記スクロール中に移動した距離との差分に基づいて、前記スクロール終了時の表示画像が前記画面の領域に含まれるか否かを判定する。
【０１００】
また、本開示の携帯端末装置は、先に受け付けた前記操作によるスクロールの実行中に、新たなスクロールを指示する後続の操作を受け付けた場合、前記検出部が、前記後続の操作の速度を検出し、前記算出部が、前記後続の操作の速度に基づいて、前記全体の距離および前記スクロール中に移動した距離を算出する。
【０１０１】
また、本開示の携帯端末装置は、前記決定部が、前記全体の距離が閾値より小さい場合、前記輝度を低下させる制御を行わない旨を、前記変更部へ指示する。
【０１０２】
また、本開示の携帯端末装置は、前記決定部が、前記全体の距離が閾値より小さい場合、前記輝度を低下させる量を、前記全体の距離が前記閾値以上である場合と比べて小さい値に決定し、当該決定した値に基づいて前記輝度を低下させる制御を行う旨を、前記変更部へ指示する。
【０１０３】
また、本開示の携帯端末装置は、前記決定部が、前記全体の距離が前記閾値以上である場合、前記輝度を低下させる量を、前記全体の距離が大きくなるほど大きい値に決定し、当該決定した値に基づいて前記輝度を低下させる制御を行う旨を、前記変更部へ指示する。
【０１０４】
また、本開示の携帯端末装置は、前記決定部が、前記スクロール中に移動した距離が、０から第２閾値に至るまで、および、前記第２閾値より大きい第３閾値から前記全体の距離に至るまでの間、前記輝度を低下させる制御を行わない旨を、前記変更部へ指示する。
【０１０５】
また、本開示の携帯端末装置は、前記決定部が、前記スクロール中に移動した距離が０から第２閾値に至るまでの間は、前記輝度を低下させる量を、前記距離が大きくなるほど大きい値に決定し、前記スクロール中に移動した距離が前記第２閾値より大きい第３閾値から前記全体の距離に至るまでの間は、前記輝度を低下させる量を、前記距離が大きくなるほど小さい値に決定し、当該決定した値に基づいて前記輝度を低下させる制御を行う旨を、前記変更部へ指示する。
【０１０６】
また、本開示の携帯端末装置は、前記携帯端末装置は、複数の画面を有し、前記変更部は、前記複数の画面に１つの画像を分割して表示する場合、前記１つの画像に対して、前記輝度を低下させる制御を行い、前記複数の画面にそれぞれ独立した画像を表示する場合、前記独立した画像に対して、前記輝度を低下させる制御を行う。
【０１０７】
また、本開示の携帯端末装置は、画面に表示される画像のスクロールを指示する操作を受け付け、所定の画面更新単位で生成した画像を、指示された方向へ移動させて表示する携帯端末装置であって、前記操作の速度を検出する検出部と、前記操作の速度に基づいて、前記スクロール終了時に画面に表示される画像が画面更新単位に移動する距離とを算出する第１算出部と、前記画面更新単位の距離およびその距離に対応する時間に基づいて、フレーム間のスクロールの速度を算出する第２算出部と、前記画面更新単位で生成した画像に対して、前記スクロールの速度が速いほど、前記画面に表示される画像の輝度を低下させる制御を行う変更部と、を有する。
【０１０８】
また、本開示の輝度制御方法は、画面に表示される画像のスクロールを指示する操作を受け付け、前記画像を指示された方向へ移動させて表示する装置が行う輝度制御方法であって、スクロール中に、スクロール終了時の表示画像が前記画面の領域に含まれるか否かを判定し、前記画面の領域のうち前記スクロール終了時の表示画像が含まれないと判定した領域を制御対象領域に決定するステップと、前記スクロール中の表示画像に対して、前記制御対象領域の輝度を低下させる制御を行うステップと、を有する。
【０１０９】
また、本開示の輝度制御プログラムは、画面に表示される画像のスクロールを指示する操作を受け付け、前記画像を指示された方向へ移動させて表示する装置のコンピュータに実行させる輝度制御プログラムであって、スクロール中に、スクロール終了時の表示画像が前記画面の領域に含まれるか否かを判定し、前記画面の領域のうち前記スクロール終了時の表示画像が含まれないと判定した領域を制御対象領域に決定する処理と、前記スクロール中の表示画像に対して、前記制御対象領域の輝度を低下させる制御を行う処理と、を実行させる。
【０１１０】
２０１２年１２月１０日出願の特願２０１２−２６９５７６の日本出願に含まれる明細書、図面および要約書の開示内容は、すべて本願に援用される。
【産業上の利用可能性】
【０１１１】
本発明は、画面の輝度を制御する携帯端末装置、輝度制御方法、および輝度制御プログラムとして有用である。本発明は、例えば、携帯電話機、タブレット、パーソナルコンピュータなどの情報処理装置に適用することができる。
【符号の説明】
【０１１２】
１００  携帯端末装置
１０１、１０１ａ、１０１ｂ  タッチセンサ
１０２、１０２ａ、１０２ｂ  画面操作検出部
１０３、１０３ａ、１０３ｂ  表示画像生成制御部
１０４、１０４ａ、１０４ｂ  表示画像生成部
１０５、１０５ａ、１０５ｂ  画面更新情報算出部
１０６、１０６ａ、１０６ｂ  画像輝度制御部
１０７、１０７ａ、１０７ｂ  画像輝度変更部
１０８、１０８ａ、１０８ｂ  ディスプレイ
２００  スクロール移動距離と時間推移の関係グラフ
３０１  全体画像
３０２、３０４、３０５、３０６、３０７  開始時画像
３０３  終了時画像
３０５ａ、３０５ｂ、３０６ａ、３０６ｂ  画像領域
４０１、４０２、４０３、４０４  全体移動距離と輝度ゲインの関係グラフ
５０１、５０２、５０３、５０４  スクロール速度と輝度ゲインの関係グラフ
６０１、６０２  スクロール移動距離と輝度ゲインの関係グラフ
７００  携帯端末装置
７０６、７０６ａ、７０６ｂ  画像輝度制御部
８００  携帯端末装置
８０８、８０８ａ、８０８ｂ  ディスプレイ
８０９、８０９ａ、８０９ｂ  バックライト
９００  携帯端末装置
９００ａ  第１形状
９００ｂ  第２形状
９０１ａ、９０１ｂ  筐体
９０２  ヒンジ
９０３ａ、９０３ｂ  ディスプレイ
１１００  携帯端末装置
１１０１ａ、１１０１ｂ  筐体
【図１】
2014091675.tif 000003
【図２】
2014091675.tif 000004
【図３】
2014091675.tif 000005
【図４】
2014091675.tif 000006
【図５】
2014091675.tif 000007
【図６】
2014091675.tif 000008
【図７】
2014091675.tif 000009
【図８】
2014091675.tif 000010
【図９】
2014091675.tif 000011
【図１０】
2014091675.tif 000012
【図１１】
2014091675.tif 000013
【図１２】
2014091675.tif 000014
【図１３】
2014091675.tif 000015
【国際調査報告】
2014091675.tif 000016
2014091675.tif 000017
2014091675.tif 000018
2014091675.tif 000019